【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
トンネルボーリングマシンのためのカッターアセンブリであって、該カッターアセンブリは、
シャフトと、
該シャフトに回転可能に据え付けられているカッターリングアセンブリと、
該シャフトの一端に取り付けられている第一の端保持部および該シャフトの反対の端に取り付けられている第二の端保持部であって、該第一の端保持部は、固定保持部であって、該固定保持部は、該固定保持部を通る圧力ポートを有する、固定保持部と、外側表面が局所的な静水圧を受ける可動ピストン部分とを有し、該可動ピストン部分は、浮動保持部を含み、該浮動保持部は、ギャップが該固定保持部と該浮動保持部との間に画定されるように、該固定保持部にスライド可能に係合し、該ギャップは、該圧力ポートと流体的に連絡している、第一の端保持部および第二の端保持部と、
該カッターリングアセンブリに係合している第一の部分と該第一の端保持部に係合している第二の部分とを有する第一の回転シール群と、
該カッターリングアセンブリに係合している第一の部分と該第二の端保持部に係合している第二の部分とを有する第二の回転シール群と
を含み、
それにより、該第一の回転シール群は、潤滑剤に浸され、該潤滑剤は、該ポートと流体的に連絡し、該固定保持部と該浮動保持部との間の該ギャップを満たすことにより、該可動ピストン部分は、該局所的な静水圧の増加に応答して、該潤滑剤の圧力を増加させるように構成され、
さらに、該固定保持部は、環状チャンネルと外周とをさらに含み、さらに、該浮動保持部は、該環状チャンネルにスライド可能に係合する環状壁と、該固定保持部の該外周にスライド可能に係合する外壁とを含む、カッターアセンブリ。
【請求項２】
前記浮動保持部は、前記ギャップ内へ潤滑剤を注入することを容易にするためのスルーポートと、該スルーポートをシールするように閉じるプラグとをさらに含む、請求項１に記載のカッターアセンブリ。
【請求項３】
前記カッターリングアセンブリは、テーパーローラーベアリングを用いて前記シャフトに回転可能に据え付けられているハブと、該ハブから半径方向外側に延びているカッターリングとを含む、請求項１に記載のカッターアセンブリ。
【請求項４】
前記第一の回転シール群は、デュオコーンシールを含む、請求項１に記載のカッターアセンブリ。
【請求項５】
トンネルボーリングマシンのためのカッターアセンブリであって、該カッターアセンブリは、
シャフトと、
該シャフトに回転可能に据え付けられているカッターリングアセンブリと、
該シャフトの一端に取り付けられている第一の端保持部および該シャフトの反対の端に取り付けられている第二の端保持部であって、該第一の端保持部は、外側表面が局所的な静水圧を受ける可動ピストン部分を有する、第一の端保持部および第二の端保持部と、
該カッターリングアセンブリに係合している第一の部分と該第一の端保持部に係合している第二の部分とを有する第一の回転シール群と、
該カッターリングアセンブリに係合している第一の部分と該第二の端保持部に係合している第二の部分とを有する第二の回転シール群と
を含み、
該第一の回転シール群は、潤滑剤に浸され、
該可動ピストン部分は、該局所的な静水圧の増加に応答して、該潤滑剤の圧力を増加させるように構成され、
該第一の端保持部は、環状チャンネルを画定している外側表面であって、該環状チャンネルは、少なくとも１つの圧力ポートを有し、該少なくとも１つの圧力ポートは、該環状チャンネルから該第一の端保持部を通って延びることにより該第一の回転シール群の内側との流体的な連絡を提供する、外側表面と、該環状チャンネルにスライド可能に配置されている環状ピストンとを含み、該環状ピストンを該環状チャンネルに保持する手段をさらに含み、該環状ピストンは、該静水圧にさらされ、該環状ピストンと該圧力ポートとの間の該環状チャンネルの容積は、該潤滑剤で満たされている、カッターアセンブリ。
【請求項６】
前記少なくとも１つの圧力ポートは、複数の圧力ポートを含む、請求項５に記載のカッターアセンブリ。
【請求項７】
前記環状チャンネルに配置されている保持要素をさらに含み、該保持要素は、前記環状ピストンを該環状チャンネルに保持するように動作可能である、請求項５に記載のカッターアセンブリ。
【請求項８】
前記第一の回転シール群は、デュオコーンシールを含む、請求項５に記載のカッターアセンブリ。
【請求項９】
トンネルボーリングマシンのためのカッターアセンブリであって、該カッターアセンブリは、
シャフトと、
該シャフトに回転可能に据え付けられているカッターリングアセンブリと、
該シャフトの一端に取り付けられている第一の端保持部および該シャフトの反対の端に取り付けられている第二の端保持部であって、該第一の端保持部は、外側表面が局所的な静水圧を受ける可動ピストン部分を有する、第一の端保持部および第二の端保持部と、
該カッターリングアセンブリに係合している第一の部分と該第一の端保持部に係合している第二の部分とを有する第一の回転シール群と、
該カッターリングアセンブリに係合している第一の部分と該第二の端保持部に係合している第二の部分とを有する第二の回転シール群と
を含み、
該第一の回転シール群は、潤滑剤に浸され、
該可動ピストン部分は、該局所的な静水圧の圧力の増加に応答して、該潤滑剤の圧力を増加させるように構成され、
該第一の端保持部は、該第一の端保持部の外側表面に画定されている複数の円筒形くぼみと、該複数の円筒形くぼみのうちの対応する１つから該第一の回転シール群まで延びている複数の圧力ポートと、該複数の円筒形くぼみのうちの対応する１つにスライド可能に配置されている複数のピストンとを含み、該複数のピストンは、該静水圧にさらされている、カッターアセンブリ。
【請求項１０】
複数の拡張可能シールをさらに含み、各拡張可能シールは、前記複数の円筒形くぼみのうちの対応する１つの外縁の近くに取り付けられている、請求項９に記載のカッターアセンブリ。
【請求項１１】
トンネルボーリングマシンのための圧力補償カッターアセンブリであって、該圧力補償カッターアセンブリは、
シャフトと、
該シャフトに回転可能に据え付けられているカッターリングアセンブリと、
該シャフトの一端に回転不可能に取り付けられている第一の端保持部と、該シャフトの反対の端に回転不可能に取り付けられている第二の端保持部と、
該カッターリングアセンブリに係合している第一の部分と該第一の端保持部に係合している第二の部分とを有する第一の回転シール群と、
該カッターリングアセンブリに係合している第一の部分と該第二の端保持部に係合している第二の部分とを有する第二の回転シール群と
を含み、
該第一および第二の回転シール群は、該シャフト、該カッターリングアセンブリ、および該第一および第二の端保持部によって画定されている閉じた容積内に封入され、さらに、該閉じた容積は、その他は潤滑剤で満たされ、
該第一の端保持部は可動部分を含み、該可動部分は、周囲の圧力にさらされた外側表面と、該潤滑剤にさらされた内側表面とを有し、それにより、該可動部分は、該周囲の圧力の増加に応答して、該潤滑剤の圧力を増加させ、
該第一の端保持部は、該潤滑剤と流体的に連絡している少なくとも１つの圧力ポートを有する固定保持部を含み、該可動部分は、浮動保持部を含み、該浮動保持部は、ギャップが該固定保持部と該浮動保持部との間に画定されるように、該固定保持部にスライド可能に係合し、該ギャップは、該潤滑剤で満たされ、
該固定保持部は、環状チャンネルと外周とをさらに含み、さらに、該浮動保持部は、該環状チャンネルにスライド可能に係合する環状壁と、該固定保持部の該外周にスライド可能に係合する外壁とを含む、圧力補償カッターアセンブリ。
【請求項１２】
前記浮動保持部は、前記ギャップ内へ潤滑剤を注入することを容易にするための少なくとも１つのスルーポートをさらに含む、請求項１１に記載の圧力補償カッターアセンブリ。
【請求項１３】
前記カッターリングアセンブリは、テーパーローラーベアリングを用いて前記シャフトに回転可能に据え付けられているハブと、該ハブから半径方向外側に延びているカッターリングとを含む、請求項１１に記載の圧力補償カッターアセンブリ。
【請求項１４】
前記第一の回転シール群は、デュオコーンシールを含む、請求項１１に記載の圧力補償カッターアセンブリ。
【請求項１５】
トンネルボーリングマシンのための圧力補償カッターアセンブリであって、該圧力補償カッターアセンブリは、
シャフトと、
該シャフトに回転可能に据え付けられているカッターリングアセンブリと、
該シャフトの一端に回転不可能に取り付けられている第一の端保持部と、該シャフトの反対の端に回転不可能に取り付けられている第二の端保持部と、
該カッターリングアセンブリに係合している第一の部分と該第一の端保持部に係合している第二の部分とを有する第一の回転シール群と、
該カッターリングアセンブリに係合している第一の部分と該第二の端保持部に係合している第二の部分とを有する第二の回転シール群と
を含み、
該第一および第二の回転シール群は、該シャフト、該カッターリングアセンブリ、および該第一および第二の端保持部によって画定されている閉じた容積内に封入され、さらに、該閉じた容積は、その他は潤滑剤で満たされ、
該第一の端保持部は可動部分を含み、該可動部分は、周囲の圧力にさらされた外側表面と、該潤滑剤にさらされた内側表面とを有し、それにより、該可動部分は、該周囲の圧力の増加に応答して、該潤滑剤の圧力を増加させ、
該第一の端保持部は、該潤滑剤と流体的に連絡している少なくとも１つの圧力ポートを有する固定保持部を含み、該可動部分は、浮動保持部を含み、該浮動保持部は、ギャップが該固定保持部と該浮動保持部との間に画定されるように、該固定保持部にスライド可能に係合し、該ギャップは、該潤滑剤で満たされ、
該第一の端保持部は、環状チャンネルを画定している外側表面であって、該環状チャンネルは、少なくとも１つの圧力ポートを有し、該少なくとも１つの圧力ポートは、該環状チャンネルから該第一の端保持部を通って延び、該少なくとも１つの圧力ポートは、該第一の回転シール群と流体的に連絡している、外側表面と、該環状チャンネルにスライド可能に配置されている環状ピストンとを含み、該環状ピストンを該環状チャンネルに保持する手段をさらに含み、該環状ピストンは、該周囲の圧力にさらされている、圧力補償カッターアセンブリ。
【請求項１６】
前記少なくとも１つの圧力ポートは、複数の圧力ポートを含む、請求項１５に記載の圧力補償カッターアセンブリ。
【請求項１７】
前記少なくとも１つの圧力ポートと前記環状ピストンの内側に配置されている前記環状チャンネルの部分とは、前記潤滑剤で満たされている、請求項１５に記載の圧力補償カッターアセンブリ。
【請求項１８】
前記環状チャンネルに配置されている保持要素をさらに含み、該保持要素は、前記環状ピストンを該環状チャンネルに保持するように動作可能である、請求項１５に記載の圧力補償カッターアセンブリ。
【請求項１９】
トンネルボーリングマシンのための圧力補償カッターアセンブリであって、該圧力補償カッターアセンブリは、
シャフトと、
該シャフトに回転可能に据え付けられているカッターリングアセンブリと、
該シャフトの一端に回転不可能に取り付けられている第一の端保持部と、該シャフトの反対の端に回転不可能に取り付けられている第二の端保持部と、
該カッターリングアセンブリに係合している第一の部分と該第一の端保持部に係合している第二の部分とを有する第一の回転シール群と、
該カッターリングアセンブリに係合している第一の部分と該第二の端保持部に係合している第二の部分とを有する第二の回転シール群と
を含み、
該第一および第二の回転シール群は、該シャフト、該カッターリングアセンブリ、および該第一および第二の端保持部によって画定されている閉じた容積内に封入され、さらに、該閉じた容積は、その他は潤滑剤で満たされ、
該第一の端保持部は可動部分を含み、該可動部分は、周囲の圧力にさらされた外側表面と、該潤滑剤にさらされた内側表面とを有し、それにより、該可動部分は、該周囲の圧力の増加に応答して、該潤滑剤の圧力を増加させ、
該第一の端保持部は、該第一の端保持部の外側表面に画定されている複数の円筒形くぼみと、該複数の円筒形くぼみのうちの対応する１つから該第一の回転シール群まで延びている複数の圧力ポートと、該複数の円筒形くぼみのうちの対応する１つにスライド可能に配置されている複数のピストンとを含み、該複数のピストンは、該周囲の圧力にさらされている、圧力補償カッターアセンブリ。
【請求項２０】
複数の拡張可能シールをさらに含み、各拡張可能シールは、前記複数の円筒形くぼみのうちの対応する１つの外縁の近くに取り付けられている、請求項１９に記載の圧力補償カッターアセンブリ。